(57)【要約】【課題】調湿装置の能力を適切に制御し、室内の快適性を確実に得る。【解決手段】調湿装置（10）には、吸着素子（81,82）、顕熱交換器（61）、温水熱交換器（11）、及び加湿冷却器（13）が設けられる。調湿装置（10）は、２つの吸着素子（81,82）を交互に用いて第１空気を除湿する。除湿された第１空気は、加湿冷却器（13）で冷却された第３空気により冷却されてから室内へ供給される。第１空気が導入されない方の吸着素子（81,82）には、温水熱交換器（11）で加熱された第２空気が導入され、その吸着素子（81,82）が再生される。コントローラ（90）は、温水熱交換器（11）へ供給される温水の量を調節し、吸着素子（81,82）へ供給される第２空気の温度を調節する。その結果、吸着素子（81,82）に残存する水分量が変化し、吸着素子（81,82）における第１空気の除湿量が変化する。【選択図】図１
2007218503.tif 000002
【特許請求の範囲】
【請求項１】
空気を吸着剤と接触させるための吸着素子（81,82）を備え、該吸着素子（81,82）で除湿された第１空気を室内へ供給して該吸着素子（81,82）で加湿された第２空気を室外へ排出する除湿運転を実行可能な調湿装置であって、
上記吸着素子（81,82）へ送られる第２空気を排熱源（20）から供給された熱媒体と熱交換させて加熱する加熱用熱交換器（11,12）と、
第３空気を加湿することによって冷却する加湿冷却器（13）と、
上記吸着素子（81,82）で除湿された第１空気を上記加湿冷却器（13）で冷却された第３空気と熱交換させる顕熱交換器（61）と、
上記加熱用熱交換器（11,12）へ供給される熱媒体の状態を変化させることによって上記除湿運転中に室内へ供給される第１空気の温度及び湿度を調節する制御動作を行う制御手段（90）とを備えている
ことを特徴とする調湿装置。
【請求項２】
請求項１において、
上記制御手段（90）は、上記加熱用熱交換器（11,12）へ供給される熱媒体の流量を変化させることによって上記除湿運転中に室内へ供給される第１空気の温度及び湿度を調節する
ことを特徴とする調湿装置。
【請求項３】
請求項１において、
上記制御手段（90）は、上記加熱用熱交換器（11,12）へ供給される熱媒体の温度を変化させることによって上記除湿運転中に室内へ供給される第１空気の温度及び湿度を調節する
ことを特徴とする調湿装置。
【請求項４】
請求項１において、
上記制御手段（90）は、上記加湿冷却器（13）での第３空気に対する加湿量を変化させることによって上記除湿運転中に室内へ供給される第１空気の温度を調節する制御動作も実行可能である
ことを特徴とする調湿装置。
【請求項５】
請求項１において、
上記制御手段（90）は、上記顕熱交換器（61）へ供給される第３空気の流量を変化させることによって上記除湿運転中に室内へ供給される第１空気の温度を調節する制御動作も実行可能である
ことを特徴とする調湿装置。
【請求項６】
請求項１乃至５の何れか１つにおいて、
上記吸着素子（81,82）には、流通する空気を吸着剤と接触させるための調湿用流路（85）と、流通する空気を該調湿用流路（85）の空気と熱交換させるための冷却用流路（86）とが形成され、
上記吸着素子（81,82）の冷却用流路（86）を通過した第２空気を上記加熱用熱交換器（11,12）で加熱するように構成されている
ことを特徴とする調湿装置。
【発明の詳細な説明】
【技術分野】
【０００１】
本発明は、吸着素子を備えて空気の湿度調節を行う調湿装置に関するものである。
【背景技術】
【０００２】
従来より、吸着素子を備えて空気の湿度調節を行う調湿装置が知られている。例えば、特許文献１には、２つの吸着素子を備えてバッチ式の動作を行う調湿装置が開示されている。
【０００３】
特許文献１の調湿装置は、再生用の空気を加熱するための温水熱交換器を備えている。この温水熱交換器は、燃料電池等の排熱源から供給された温水を再生用の空気と熱交換させている。この調湿装置は、温水熱交換器で加熱された空気を吸着素子へ導入し、吸着素子の吸着剤から水分を脱離させている。また、特許文献１の調湿装置は、空気を加湿することによって冷却する加湿冷却器を備えている。この調湿装置は、吸着素子を通過する際に除湿された空気を、加湿冷却器で冷却された空気と熱交換させることによって冷却してから室内へ供給している。
【特許文献１】特開２００５−１７２２７２号公報
【発明の開示】
【発明が解決しようとする課題】
【０００４】
上記特許文献１の調湿装置は、温度と湿度を調節した空気を室内へ供給することによって、室内の顕熱負荷や潜熱負荷を処理している。
【０００５】
ここで、室内の顕熱負荷や潜熱負荷は、室内の在室者数や室内で使用される機器、あるいは外気の状態によって変化する。また、室内の顕熱負荷や潜熱負荷が一定であっても、調湿装置が取り込む空気の温度や湿度が変化すれば、調湿装置に要求される能力が変化する。
【０００６】
ところが、上記特許文献１の調湿装置では、その能力の調節について考慮されていなかった。このため、調湿装置の能力を適切に制御することができず、室内の快適性が充分に得られなくなるおそれがあった。
【０００７】
本発明は、かかる点に鑑みてなされたものであり、その目的は、調湿装置の能力を適切に制御し、室内の快適性を確実に得ることにある。
【課題を解決するための手段】
【０００８】
第１の発明は、空気を吸着剤と接触させるための吸着素子（81,82）を備え、該吸着素子（81,82）で除湿された第１空気を室内へ供給して該吸着素子（81,82）で加湿された第２空気を室外へ排出する除湿運転を実行可能な調湿装置を対象とする。そして、上記吸着素子（81,82）へ送られる第２空気を排熱源（20）から供給された熱媒体と熱交換させて加熱する加熱用熱交換器（11,12）と、第３空気を加湿することによって冷却する加湿冷却器（13）と、上記吸着素子（81,82）で除湿された第１空気を上記加湿冷却器（13）で冷却された第３空気と熱交換させる顕熱交換器（61）と、上記加熱用熱交換器（11,12）へ供給される熱媒体の状態を変化させることによって上記除湿運転中に室内へ供給される第１空気の温度及び湿度を調節する制御動作を行う制御手段（90）とを備えるものである。
【０００９】
第１の発明では、調湿装置（10）において少なくとも除湿運転が行われる。除湿運転中において、調湿装置（10）に取り込まれた第１空気は、吸着素子（81,82）を通過する際に除湿されてから顕熱交換器（61）へ導入される。また、調湿装置（10）に取り込まれた第３空気は、加湿冷却器（13）で冷却されてから顕熱交換器（61）へ導入され、第１空気と熱交換する。そして、調湿装置（10）は、吸着素子（81,82）で除湿されて顕熱交換器（61）で冷却された第１空気を、室内へ供給する。一方、調湿装置（10）に取り込まれた第２空気は、加熱用熱交換器（11,12）で加熱されてから吸着素子（81,82）へ導入される。吸着素子（81,82）では、第２空気によって吸着剤が加熱され、吸着剤から脱離した水分が第２空気に付与される。
【００１０】
この第１の発明では、調湿装置（10）に制御手段（90）が設けられる。この制御手段（90）は、排熱源（20）から加熱用熱交換器（11,12）へ供給される熱媒体の状態を変化させることによって、除湿運転中に室内へ供給される第１空気の温度及び湿度を調節する。加熱用熱交換器（11,12）へ供給される熱媒体の状態を変化させると、加熱用熱交換器（11,12）から吸着素子（81,82）へ供給される第２空気の温度が変化する。この第２空気の温度が変化すると、吸着素子（81,82）から脱離する水分量が変化し、それに伴って第１空気から吸着素子（81,82）が吸着する水分の量が変化する。即ち、吸着素子（81,82）における第１空気の除湿量が変化する。また、この第２空気の温度が変化すると、再生が終了した時点での吸着素子（81,82）の温度が変化し、吸着素子（81,82）を通過した第１空気の温度も変化する。また、吸着素子（81,82）における第１空気の除湿量が変化するため、吸着素子（81,82）で発生する吸着熱の量も変化し、それによっても吸着素子（81,82）を通過した第１空気の温度も変化する。
【００１１】
第２の発明は、上記第１の発明において、上記制御手段（90）は、上記加熱用熱交換器（11,12）へ供給される熱媒体の流量を変化させることによって上記除湿運転中に室内へ供給される第１空気の温度及び湿度を調節するものである。
【００１２】
第２の発明では、上記加熱用熱交換器（11,12）へ供給される熱媒体の流量を、制御手段（90）が変化させる。加熱用熱交換器（11,12）へ供給される熱媒体の流量が変化すると、仮に熱媒体の温度が一定であっても、加熱用熱交換器（11,12）おける第２空気への加熱量が変化し、それに伴って加熱用熱交換器（11,12）から吸着素子（81,82）へ供給される第２空気の温度が変化する。
【００１３】
第３の発明は、上記第１の発明において、上記制御手段（90）は、上記加熱用熱交換器（11,12）へ供給される熱媒体の温度を変化させることによって上記除湿運転中に室内へ供給される第１空気の温度及び湿度を調節するものである。
【００１４】
第３の発明では、上記加熱用熱交換器（11,12）へ供給される熱媒体の温度を、制御手段（90）が変化させる。加熱用熱交換器（11,12）へ供給される熱媒体の温度が変化すると、仮に熱媒体の流量が一定であっても、加熱用熱交換器（11,12）おける第２空気への加熱量が変化し、それに伴って加熱用熱交換器（11,12）から吸着素子（81,82）へ供給される第２空気の温度が変化する。
【００１５】
第４の発明は、上記第１の発明において、上記制御手段（90）は、上記加湿冷却器（13）での第３空気に対する加湿量を変化させることによって上記除湿運転中に室内へ供給される第１空気の温度を調節する制御動作も実行可能であるものである。
【００１６】
第４の発明において、制御手段（90）は、加熱用熱交換器（11,12）へ供給される熱媒体の状態を変化させて第１空気の温度及び湿度を調節する制御動作だけでなく、加湿冷却器（13）での第３空気に対する加湿量を変化させることによって第１空気の温度を調節する制御動作も実行可能に構成されている。加湿冷却器（13）での第３空気に対する加湿量を変化させると、加湿冷却器（13）から顕熱交換器（61）へ供給される第３空気の温度が変化し、顕熱交換器（61）で第３空気が第１空気から奪う熱量も変化する。その結果、顕熱交換器（61）で冷却されて室内へ供給される第１空気の温度が変化する。
【００１７】
第５の発明は、上記第１の発明において、上記制御手段（90）は、上記顕熱交換器（61）へ供給される第３空気の流量を変化させることによって上記除湿運転中に室内へ供給される第１空気の温度を調節する制御動作も実行可能であるものである。
【００１８】
第５の発明において、制御手段（90）は、加熱用熱交換器（11,12）へ供給される熱媒体の状態を変化させて第１空気の温度及び湿度を調節する制御動作だけでなく、顕熱交換器（61）へ供給される第３空気の流量を変化させることによって第１空気の温度を調節する制御動作も実行可能に構成されている。加湿冷却器（13）から顕熱交換器（61）へ供給される第３空気の流量を変化させると、顕熱交換器（61）で第３空気が第１空気から奪う熱量も変化する。その結果、顕熱交換器（61）で冷却されて室内へ供給される第１空気の温度が変化する。
【００１９】
第６の発明は、上記第１から第５までの何れか１つの発明において、上記吸着素子（81,82）には、流通する空気を吸着剤と接触させるための調湿用流路（85）と、流通する空気を該調湿用流路（85）の空気と熱交換させるための冷却用流路（86）とが形成され、上記吸着素子（81,82）の冷却用流路（86）を通過した第２空気を上記加熱用熱交換器（11,12）で加熱するように構成されるものである。
【００２０】
第６の発明では、吸着素子（81,82）に調湿用流路（85）と冷却用流路（86）が設けられる。吸着素子（81,82）の調湿用流路（85）へ第１空気を導入すると、第１空気中の水分が吸着剤に吸着される。その際に発生する吸着熱は、冷却用流路（86）を流れる第２空気に吸熱される。吸着素子（81,82）の冷却用流路（86）を流れる間に加熱された第２空気は、加熱用熱交換器（11,12）で更に加熱されてから吸着素子（81,82）の再生に利用される。
【発明の効果】
【００２１】
本発明では、上記加熱用熱交換器（11,12）へ供給される熱媒体の状態を制御手段（90）が変化させることによって、除湿運転中に室内へ供給される第１空気の温度及び湿度が調節される。従って、本発明によれば、室内へ供給される第１空気の温度及び湿度を調節することによって調湿装置（10）の能力を増減させることが可能となり、調湿装置（10）の能力を室内の顕熱負荷や潜熱負荷に応じて調節して室内の快適性を確保することができる。
【００２２】
また、上記第４，第５の発明において、制御手段（90）は、顕熱交換器（61）へ供給される第３空気の状態を変更することによって第１空気の温度を調節する動作を実行できるように構成されている。従って、これらの発明によれば、複数の制御パラメータを利用して第１空気の状態を調節することができ、調湿装置（10）の能力を一層適切に制御することが可能となる。
【００２３】
また、上記第６の発明では、吸着素子（81,82）に調湿用流路（85）と冷却用流路（86）を設け、吸着素子（81,82）で第１空気が除湿される際に発生する吸着熱を第２空気によって奪っている。従って、この発明によれば、吸着素子（81,82）が第１空気から吸着する水分の量を増大させることができ、調湿装置（10）の能力を増大させることが可能となる。また、この発明によれば、吸着素子（81,82）で第１空気が除湿される際に生じる吸着熱を第２空気の加熱に利用することができ、加熱用熱交換器（11,12）での第２空気に対する加熱量を削減することができるため、調湿装置（10）の効率を向上させることが可能となる。
【発明を実施するための最良の形態】
【００２４】
以下、本発明の実施形態を図面に基づいて詳細に説明する。
【００２５】
《発明の実施形態１》
本発明の実施形態１について説明する。
【００２６】
図１に示すように、本実施形態の調湿装置（10）は、２つの吸着素子（81,82）を備えている。また、この調湿装置（10）は、加熱用熱交換器としての温水熱交換器（11）と、顕熱交換器（61）と、加湿冷却器（13）とを１つずつ備えている。更に、この調湿装置（10）は、供給側空気通路（51）と、排出側空気通路（52）と、冷却側空気通路（53）とを備えている。
【００２７】
供給側空気通路（51）は、その始端が室外に開口し、その終端が室内に開口している。図示しないが、上記調湿装置（10）にはダンパが設けられている。供給側空気通路（51）は、このダンパを開閉することによって、第１吸着素子（81）の調湿用流路（85）に連通する状態（図１(Ａ)に示す状態）と、第２吸着素子（82）の調湿用流路（85）に連通する状態（図１(Ｂ)に示す状態）とに切り換わる。また、供給側空気通路（51）では、吸着素子（81,82）の下流側に供給側ファン（15）が配置され、この供給側ファン（15）の更に下流に顕熱交換器（61）の第１空気流路（64）が配置されている。
【００２８】
排出側空気通路（52）は、その両端が室外に開口している。図示しないが、上記調湿装置（10）にはダンパが設けられている。排出側空気通路（52）は、このダンパを開閉することによって、第２吸着素子（82）の調湿用流路（85）に連通する状態（図１(Ａ)に示す状態）と、第１吸着素子（81）の調湿用流路（85）に連通する状態（図１(Ｂ)に示す状態）とに切り換わる。また、排出側空気通路（52）では、吸着素子（81,82）の上流側に温水熱交換器（11）が配置され、吸着素子（81,82）の下流側に排出側ファン（16）が配置されている。
【００２９】
冷却側空気通路（53）は、その両端が室外に開口している。冷却側空気通路（53）では、その始端から終端へ向かって順に、冷却側ファン（17）と、加湿冷却器（13）と、顕熱交換器（61）の第２空気流路（65）とが配置されている。
【００３０】
図２に示すように、各吸着素子（81,82）は、平板状の平板部材（83）と波形状の波板部材（84）とを交互に積層することによって構成され、全体として直方体状に形成されている。吸着素子（81,82）において、平板部材（83）を挟んで隣接する波板部材（84）は、それぞれの波形の稜線方向が略平行となっている。この吸着素子（81,82）では、隣接する平板部材（83）の間に調湿用流路（85）が形成される。直方体状の吸着素子（81,82）において、調湿用流路（85）は、対向する２つの側面に開口している。調湿用流路（85）に臨む平板部材（83）の表面や、調湿用流路（85）に設けられた波板部材（84）の表面には、水分を吸着するための吸着剤が塗布されている。この種の吸着剤としては、例えばシリカゲル、ゼオライト、イオン交換樹脂等が挙げられる。
【００３１】
図３に示すように、顕熱交換器（61）は、平板状の平板部材（62）と波形状の波板部材（63）とを交互に積層することによって構成され、全体として直方体状に形成されている。顕熱交換器（61）において、平板部材（62）を挟んで隣接する波板部材（63）は、それぞれの波形の稜線方向が互いに９０度ずれている。顕熱交換器（61）では、平板部材（62）及び波板部材（63）の積層方向において、第１空気流路（64）と第２空気流路（65）とが平板部材（62）を挟んで交互に形成されている。直方体状の顕熱交換器（61）では、対向する一対の側面に第１空気流路（64）が開口し、これとは別の対向する一対の側面に第２空気流路（65）が開口している。
【００３２】
図１に示すように、温水熱交換器（11）は、温水回路（21）を介してガスエンジン（20）に接続されている。このガスエンジン（20）は、発電機を駆動するためのものであって、排熱源を構成している。温水回路（21）には、循環ポンプ（22）が設けられている。循環ポンプ（22）を駆動すると、熱媒体としての水がガスエンジン（20）と温水熱交換器（11）の間を循環し、ガスエンジン（20）の排熱によって加熱されたが温水が温水熱交換器（11）へ供給される。温水熱交換器（11）は、排出側空気通路（52）を流れる空気と温水回路（21）を通じて供給された温水とを熱交換させる。
【００３３】
加湿冷却器（13）は、水を噴霧したり透湿膜を介して水を供給することによって空気を加湿する。加湿冷却器（13）において空気に水を供給すると、供給された水が空気から熱を奪って蒸発するため、空気の温度が低下する。
【００３４】
本実施形態の調湿装置（10）には、制御手段であるコントローラ（90）と、空気の温度を計測する吹出温度センサ（95）と、空気の相対湿度を計測する吹出湿度センサ（96）とが設けられている。吹出温度センサ（95）と吹出湿度センサ（96）は、共に供給側空気通路（51）における顕熱交換器（61）の下流に配置され、顕熱交換器（61）を通過して室内へ供給される空気の温度や相対湿度を計測する。コントローラ（90）には、吹出温度センサ（95）及び吹出湿度センサ（96）の検出値が入力されている。このコントローラ（90）は、吹出温度センサ（95）及び吹出湿度センサ（96）の検出値が所定の目標値となるように、調湿装置（10）の運転を制御する。コントローラ（90）の制御動作については後述する。
【００３５】
−運転動作−
本実施形態の調湿装置（10）は、除湿運転を行う。ここでは、除湿運転中の調湿装置（10）の運転動作について説明する。
【００３６】
除湿運転中の調湿装置（10）では、供給側空気通路（51）と排出側空気通路（52）と冷却側空気通路（53）のそれぞれに室外空気が取り込まれる。供給側空気通路（51）には、第１空気として室外空気が取り込まれる。排出側空気通路（52）には、第２空気として室外空気が取り込まれる。冷却側空気通路（53）には、第３空気として室外空気が取り込まれる。
【００３７】
除湿運転中の調湿装置（10）では、第１吸着素子（81）に空気中の水分を吸着させると同時に第２吸着素子（82）を再生する第１動作と、第２吸着素子（82）に空気中の水分を吸着させると同時に第１吸着素子（81）を再生する第２動作とが交互に繰り返し行われる。
【００３８】
調湿装置（10）の第１動作について、図１(Ａ)を参照しながら説明する。
【００３９】
第１動作中には、供給側空気通路（51）を流れる第１空気が第１吸着素子（81）の調湿用流路（85）へ導入され、この調湿用流路（85）を通過する間に第１空気中の水分が吸着剤に吸着される。第１吸着素子（81）で除湿された第１空気は、顕熱交換器（61）の第１空気流路（64）へ導入される。顕熱交換器（61）の第２空気流路（65）へは、加湿冷却器（13）で加湿されることによって冷却された第３空気が導入される。顕熱交換器（61）では、第１空気流路（64）を流れる第１空気が第２空気流路（65）を流れる第３空気と熱交換して冷却される。第１吸着素子（81）で除湿されて顕熱交換器（61）で冷却された第１空気は、供給側空気通路（51）を流れて室内へ供給される。また、顕熱交換器（61）を通過した第３空気は、冷却側空気通路（53）を通って室外へ排出される。
【００４０】
一方、排出側空気通路（52）を流れる第２空気は、温水熱交換器（11）へ導入され、ガスエンジン（20）から供給された温水と熱交換し、例えば６５℃程度にまで加熱される。温水熱交換器（11）で加熱された第２空気は、第２吸着素子（82）の調湿用流路（85）へ導入される。第２吸着素子（82）では、導入された第２空気によって吸着剤が加熱され、吸着剤から水分が脱離する。吸着剤から脱離した水分は、第２空気と共に第２吸着素子（82）から排出される。第２吸着素子（82）で水分を付与された第２空気は、排出側ファン（16）を通過し、排出側空気通路（52）を通って室外へ排出される。
【００４１】
調湿装置（10）の第２動作について、図１(Ｂ)を参照しながら説明する。
【００４２】
第２動作中には、供給側空気通路（51）を流れる第１空気が第２吸着素子（82）の調湿用流路（85）へ導入され、この調湿用流路（85）を通過する間に第１空気中の水分が吸着剤に吸着される。第２吸着素子（82）で除湿された第１空気は、顕熱交換器（61）の第１空気流路（64）へ導入され、第１動作中と同様に第３空気と熱交換して冷却される。第２吸着素子（82）で除湿されて顕熱交換器（61）で冷却された第１空気は、供給側空気通路（51）を流れて室内へ供給される。
【００４３】
一方、排出側空気通路（52）を流れる第２空気は、温水熱交換器（11）へ導入され、第１動作中と同様に加熱される。温水熱交換器（11）で加熱された第２空気は、第１吸着素子（81）の調湿用流路（85）へ導入される。第１吸着素子（81）では、導入された第２空気によって吸着剤が加熱され、吸着剤から水分が脱離する。吸着剤から脱離した水分は、第２空気と共に第１吸着素子（81）から排出される。第１吸着素子（81）で水分を付与された第２空気は、排出側空気通路（52）を通って室外へ排出される。
【００４４】
−コントローラの制御動作−
上述したように、コントローラ（90）は、吹出温度センサ（95）及び吹出湿度センサ（96）の検出値が所定の目標値となるように、調湿装置（10）の運転状態を制御する。具体的に、このコントローラ（90）は、循環ポンプ（22）の回転速度を調節する第１制御動作と、加湿冷却器（13）での第３空気への加湿量を調節する第２制御動作とを実行できるように構成されている。そして、コントローラ（90）は、第１制御動作と第２制御動作の一方を適宜選択して行ったり、これら２つの制御動作を同時に並行して行ったりする。
【００４５】
先ず、コントローラ（90）の第１制御動作について説明する。
【００４６】
第１制御動作中において、コントローラ（90）は、循環ポンプ（22）の回転速度を吹出温度センサ（95）及び吹出湿度センサ（96）の検出値に基づいて調節する。循環ポンプ（22）の回転速度を変更すると、ガスエンジン（20）から温水熱交換器（11）へ供給される温水の流量が変化する。温水熱交換器（11）へ供給される温水の流量が変化すると、温水熱交換器（11）で温水から第２空気へ付与される熱量が変化し、それに伴って温水熱交換器（11）から吸着素子（81,82）へ供給される第２空気の温度が変化する。
【００４７】
吹出湿度センサ（96）の検出値が目標値を上回っている場合や、吹出温度センサ（95）の検出値が目標値を下回っている場合、コントローラ（90）は、循環ポンプ（22）の回転速度を上昇させ、ガスエンジン（20）から温水熱交換器（11）へ供給される温水の流量を増大させる。
【００４８】
例えば、第１動作（図１(Ａ)を参照）の実行中において、コントローラ（90）が循環ポンプ（22）の回転速度を上昇させると、第２吸着素子（82）へ供給される第２空気の温度が上昇する。第２吸着素子（82）へ流入する第２空気の温度が上昇すると、第１動作中に第２吸着素子（82）から脱離する水分の量が増大する。つまり、第１動作の終了時点で第２吸着素子（82）に残存する水分の量が少なくなる。このため、第１動作から第２動作（図１(Ｂ)を参照）へ切り換わった後は、水分の残存量が少ない第２吸着素子（82）へ第１空気中の水分が吸着されることになり、第２吸着素子（82）から流出する第１空気に含まれる水分の量が減少し、最終的に室内へ供給される第１空気の湿度が低下する。また、第２吸着素子（82）へ流入する第２空気の温度が上昇すると、第１動作の終了時点で第２吸着素子（82）が保有する熱量が増大する。このため、第１動作から第２動作へ切り換わった後は、多くの熱量を保有する第２吸着素子（82）を第１空気が通過することになり、第２吸着素子（82）を通過した第１空気の温度が上昇する。
【００４９】
逆に、吹出湿度センサ（96）の検出値が目標値を下回っている場合や、吹出温度センサ（95）の検出値が目標値を上回っている場合、コントローラ（90）は、循環ポンプ（22）の回転速度を低下させ、ガスエンジン（20）から温水熱交換器（11）へ供給される温水の流量を減少させる。
【００５０】
例えば、第１動作の実行中において、コントローラ（90）が循環ポンプ（22）の回転速度を低下させると、第２吸着素子（82）へ供給される第２空気の温度が低下する。そして、第１動作の終了時点で第２吸着素子（82）に残存する水分の量が増加するため、第２動作中に第２吸着素子（82）から流出する第１空気の湿度が上昇する。また、第１動作の終了時点で第２吸着素子（82）が保有する熱量が減少するため、第２動作中に第２吸着素子（82）から流出する第１空気の温度が低下する。
【００５１】
次に、コントローラ（90）の第２制御動作について説明する。
第２制御動作中において、コントローラ（90）は、加湿冷却器（13）での第３空気への加湿量を吹出温度センサ（95）の検出値に基づいて調節する。加湿冷却器（13）での第３空気への加湿量を変更すると、加湿冷却器（13）から顕熱交換器（61）へ供給される第３空気の温度が変化する。顕熱交換器（61）へ導入される第３空気の温度が変化すると、顕熱交換器（61）で第３空気が第１空気から吸熱する熱量が変化し、顕熱交換器（61）から流出する第１空気の温度が変化する。
【００５２】
吹出温度センサ（95）の検出値が目標値を上回っている場合、コントローラ（90）は、加湿冷却器（13）での第３空気への加湿量を増大させ、加湿冷却器（13）から顕熱交換器（61）へ供給される第３空気の温度を低下させる。逆に、吹出温度センサ（95）の検出値が目標値を下回っている場合、コントローラ（90）は、加湿冷却器（13）での第３空気への加湿量を減少させ、加湿冷却器（13）から顕熱交換器（61）へ供給される第３空気の温度を上昇させる。
【００５３】
−実施形態１の効果−
本実施形態では、上記温水熱交換器（11）へ供給される温水の流量をコントローラ（90）が変化させることによって、除湿運転中に室内へ供給される第１空気の温度及び湿度が調節される。従って、本実施形態によれば、室内へ供給される第１空気の温度及び湿度を調節することによって調湿装置（10）の能力を増減させることが可能となり、調湿装置（10）の能力を室内の顕熱負荷や潜熱負荷に応じて調節することによって室内の快適性を確保することができる。
【００５４】
また、本実施形態において、コントローラ（90）は、顕熱交換器（61）へ供給される第３空気の温度を変更することによって第１空気の温度を調節する動作を実行できるように構成されている。従って、本実施形態によれば、複数の制御パラメータを利用して第１空気の状態を調節することができ、調湿装置（10）の能力を一層適切に制御することが可能となる。
【００５５】
《発明の実施形態２》
本発明の実施形態２について説明する。ここでは、本実施形態の調湿装置（10）について、上記実施形態１と異なる点を説明する。
【００５６】
図４に示すように、本実施形態は、上記実施形態１において、吸着素子（81,82）の構成を変更すると共に、排出側空気通路（52）の構成を変更したものである。
【００５７】
図５に示すように、本実施形態の吸着素子（81,82）には、調湿用流路（85）と冷却用流路（86）とが形成されている。具体的に、各吸着素子（81,82）は、平板状の平板部材（83）と波形状の波板部材（84）とを交互に積層することによって構成され、全体として直方体状に形成されている。吸着素子（81,82）において、平板部材（83）を挟んで隣接する波板部材（84）は、それぞれの波形の稜線方向が互いに９０度ずれている。吸着素子（81,82）では、平板部材（83）及び波板部材（84）の積層方向において、調湿用流路（85）と冷却用流路（86）とが平板部材（83）を挟んで交互に形成されている。直方体状の吸着素子（81,82）では、対向する一対の側面に調湿用流路（85）が開口し、これとは別の対向する一対の側面に冷却用流路（86）が開口している。調湿用流路（85）に臨む平板部材（83）の表面や、調湿用流路（85）に設けられた波板部材（84）の表面には、水分を吸着するための吸着剤が塗布されている。一方、冷却用流路（86）に臨む平板部材（83）の表面や、冷却用流路（86）に設けられた波板部材（84）の表面に、吸着剤は塗布されていない。
【００５８】
排出側空気通路（52）では、温水熱交換器（11）の上流側に第１，第２吸着素子（81,82）の冷却用流路（86）が配置されている。排出側空気通路（52）は、図外のダンパを開閉することによって、第１吸着素子（81）の冷却用流路（86）に連通する状態（図４(Ａ)に示す状態）と、第２吸着素子（82）の冷却用流路（86）に連通する状態（図４(Ｂ)に示す状態）とに切り換わる。
【００５９】
−運転動作−
第１動作中の第１吸着素子（81）や第２動作中の第２吸着素子（82）では、調湿用流路（85）を第１空気が流通し、冷却用流路（86）を第２空気が流通する。調湿用流路（85）では第１空気中の水分が吸着剤に吸着され、その際に吸着熱が発生する。調湿用流路（85）で発生した吸着熱は、冷却用流路（86）を流れる第２空気に吸熱される。冷却用流路（86）を通過する間に吸着熱を吸熱した第２空気は、温水熱交換器（11）へ送られて更に加熱される。
【００６０】
−実施形態２の効果−
本実施形態では、吸着素子（81,82）に調湿用流路（85）と冷却用流路（86）を設け、吸着素子（81,82）で第１空気が除湿される際に発生する吸着熱を第２空気によって奪っている。従って、本実施形態によれば、吸着素子（81,82）が第１空気から吸着する水分の量を増大させることができ、調湿装置（10）の能力を増大させることが可能となる。また、本実施形態によれば、吸着素子（81,82）で第１空気が除湿される際に生じる吸着熱を第２空気の加熱に利用することができ、温水熱交換器（11）での第２空気に対する加熱量を削減することができるため、調湿装置（10）の効率を向上させることが可能となる。
【００６１】
−実施形態２の変形例−
本実施形態では、図６に示すように、上記実施形態１と同様の調湿用流路（85）だけを備える吸着素子（81,82）を用いると共に、予熱用熱交換器（70）を追加してもよい。
【００６２】
予熱用熱交換器（70）は、上記顕熱交換器（61）と概ね同じ形状に形成されている。つまり、予熱用熱交換器（70）には、互いに直交する方向へ空気が通過する第１空気流路（71）と第２空気流路（72）が交互に形成されている。そして、予熱用熱交換器（70）は、第１空気流路（71）を流れる空気と第２空気流路（72）を流れる空気を熱交換させる。
【００６３】
予熱用熱交換器（70）の第１空気流路（71）は、供給側空気通路（51）における吸着素子（81,82）と供給側ファン（15）の間に配置されている。本実施形態の供給側空気通路（51）は、図外のダンパを開閉することにより、第１吸着素子（81）の調湿用流路（85）が予熱用熱交換器（70）の第１空気流路（71）に連通する状態と、第２吸着素子（82）の調湿用流路（85）が予熱用熱交換器（70）の第１空気流路（71）に連通する状態とに切り換わる。一方、予熱用熱交換器（70）の第２空気流路（72）は、排出側空気通路（52）における温水熱交換器（11）の上流側に配置されている。
【００６４】
第１動作中には、第１吸着素子（81）の調湿用流路（85）で除湿された第１空気が、予熱用熱交換器（70）の第１空気流路（71）へ流入する（図６(Ａ)を参照）。つまり、予熱用熱交換器（70）の第１空気流路（71）へは、吸着熱によって温度上昇した第１空気が流れ込む。そして、予熱用熱交換器（70）では、第２空気流路（72）を流れる第２空気が第１空気流路（71）を流れる第１空気と熱交換して加熱される。また、第２動作中には、第２吸着素子（82）の調湿用流路（85）で除湿された第１空気が、予熱用熱交換器（70）の第１空気流路（71）へ流入する（図６(Ｂ)を参照）。そして、第１動作中と同様に、予熱用熱交換器（70）では、第２空気流路（72）の第２空気が第１空気流路（71）の第１空気と熱交換して加熱される。
【００６５】
本変形例では、温水熱交換器（11）へ送られる第２空気を、吸着熱によって温度上昇した第１空気を利用して予熱している。従って、上記実施形態２の場合と同様に、温水熱交換器（11）で第２空気へ供給すべき熱量を削減することができ、調湿装置（10）の効率向上を図ることができる。
【００６６】
《発明の実施形態３》
本発明の実施形態３について説明する。本実施形態の調湿装置（10）は、除湿運転と加湿運転が切り換え可能に構成されている。ここでは、本実施形態の調湿装置（10）について、上記実施形態１と異なる点を説明する。
【００６７】
図７に示すように、本実施形態の調湿装置（10）には、温水熱交換器（11,12）が２つ設けられている。これら２つの温水熱交換器（11,12）は、共に温水回路（21）に接続されている。
【００６８】
第１温水熱交換器（11）は、上記実施形態１のものと同様に、排出側空気通路（52）における吸着素子（81,82）の上流側に配置され、排出側空気通路（52）を流れる空気と温水とを熱交換させる。本実施形態においても、排出側空気通路（52）は、第１温水熱交換器（11）が第１吸着素子（81）の調湿用流路（85）に連通する状態（図７(Ａ)に示す状態）と、第１温水熱交換器（11）が第２吸着素子（82）の調湿用流路（85）に連通する状態（図７(Ｂ)に示す状態）とに切り換わる。
【００６９】
一方、第２温水熱交換器（12）は、供給側空気通路（51）における吸着素子（81,82）の上流側に配置され、供給側空気通路（51）を流れる空気と温水とを熱交換させる。本実施形態の供給側空気通路（51）は、第２温水熱交換器（12）が第１吸着素子（81）の調湿用流路（85）に連通する状態（図７(Ａ)に示す状態）と、第２温水熱交換器（12）が第２吸着素子（82）の調湿用流路（85）に連通する状態（図７(Ｂ)に示す状態）とに切り換わる。
【００７０】
温水回路（21）において、第１温水熱交換器（11）と第２温水熱交換器（12）は、ガスエンジン（20）及び循環ポンプ（22）に対して並列に接続されている。この温水回路（21）では、第１温水熱交換器（11）と第２温水熱交換器（12）の分岐箇所に、三方弁（23,24）が１つずつ配置されている。各三方弁（23,24）は、ガスエンジン（20）を第１温水熱交換器（11）に連通させて第２温水熱交換器（12）から遮断する状態と、ガスエンジン（20）を第２温水熱交換器（12）に連通させて第１温水熱交換器（11）から遮断する状態とに切り換わる。
【００７１】
−運転動作−
本実施形態の調湿装置（10）では、除湿運転と加湿運転が行われる。
【００７２】
除湿運転中の動作について、図７を参照しながら説明する。除湿運転時において、温水回路（21）の三方弁（23,24）は、ガスエンジン（20）を第１温水熱交換器（11）に連通させて第２温水熱交換器（12）から遮断する状態に設定される。この状態で、調湿装置（10）は、第１動作と第２動作を交互に繰り返し行う。
【００７３】
第１動作中と第２動作中の運転動作は、上記実施形態１の場合と同様である。つまり、第１動作中には、図７(Ａ)に示すように、第１空気が第１吸着素子（81）で除湿された後に顕熱交換器（61）で冷却されてから室内へ供給されると同時に、第２空気が第１温水熱交換器（11）で加熱されてから第２吸着素子（82）へ供給される。また、第２動作中には、図７(Ｂ)に示すように、第１空気が第２吸着素子（82）で除湿された後に顕熱交換器（61）で冷却されてから室内へ供給されると同時に、第２空気が第１温水熱交換器（11）で加熱されてから第１吸着素子（81）へ供給される。その際、第２温水熱交換器（12）には温水が供給されていないため、第１空気は第２温水熱交換器（12）を素通りするだけで加熱も冷却もされない。
【００７４】
加湿運転中の動作について、図８を参照しながら説明する。加湿運転時において、温水回路（21）の三方弁（23,24）は、ガスエンジン（20）を第２温水熱交換器（12）に連通させて第１温水熱交換器（11）から遮断する状態に設定される。また、調湿装置（10）では、冷却側ファン（17）が停止され、加湿冷却器（13）における水分の供給も停止される。この状態で、調湿装置（10）は、第１動作と第２動作を交互に繰り返し行う。
【００７５】
加湿運転の第１動作及び第２動作では、供給側空気通路（51）と排出側空気通路（52）と冷却側空気通路（53）のそれぞれに室外空気が取り込まれる。供給側空気通路（51）には、第２空気として室外空気が取り込まれる。排出側空気通路（52）には、第１空気として室外空気が取り込まれる。冷却側空気通路（53）には、第３空気として室外空気が取り込まれる。
【００７６】
第１動作中には、図８(Ａ)に示すように、第１空気が第１吸着素子（81）で除湿された後に室外へ排出されると同時に、第２空気が第２温水熱交換器（12）で加熱されてから第２吸着素子（82）へ供給される。第２吸着素子（82）では、吸着剤から脱離した水分が第２空気に付与される。そして、第２吸着素子（82）を通過する間に加湿された第２空気が室内へ供給される。
【００７７】
一方、第２動作中には、図８(Ｂ)に示すように、第１空気が第２吸着素子（82）で除湿された後に室外へ排出されると同時に、第２空気が第２温水熱交換器（12）で加熱されてから第１吸着素子（81）へ供給される。第１吸着素子（81）では、吸着剤から脱離した水分が第２空気に付与される。そして、第１吸着素子（81）を通過する間に加湿された第２空気が室内へ供給される。
【００７８】
その際、第１温水熱交換器（11）には温水が供給されていないため、第１空気は第１温水熱交換器（11）を素通りするだけで加熱も冷却もされない。また、顕熱交換器（61）への第３空気の供給が停止されているため、吸着素子（81,82）で加湿された第２空気は、単に顕熱交換器（61）を通過するだけで冷却されない。
【００７９】
−実施形態３の変形例−
本実施形態の調湿装置（10）は、除湿運転と加湿運転に加えて、暖房運転を行うように構成されていてもよい。
【００８０】
暖房運転中において、供給側空気通路（51）は、加湿運転の第１動作中と同じ状態（図８(Ａ)に示す状態）か、加湿運転の第２動作中と同じ状態（図８(Ｂ)に示す状態）の何れか一方に保持される。つまり、第２温水熱交換器（12）で加熱された第２空気は、何れか一方の吸着素子（81,82）だけを通過することになる。この状態をしばらく続けると、吸着素子（81,82）の吸着剤から水分が脱離しない状態になる。従って、第２温水熱交換器（12）で加熱された第２空気は、単に吸着素子（81,82）を通過するだけで加湿されることなく室内へ供給される。
【００８１】
《その他の実施形態》
上記実施形態については、以下のような構成としてもよい。
【００８２】
−第１変形例−
上記の各実施形態では、図９及び図１０に示すように、調湿装置（10）の供給側空気通路（51）に空気バイパス路（55）を設けてもよい。なお、図９は本変形例を上記実施形態１の調湿装置（10）に適用したものを示し、図１０は本変形例を上記実施形態３の調湿装置（10）に適用したものを示している。
【００８３】
空気バイパス路（55）は、顕熱交換器（61）をバイパスするように配置されている。具体的に、空気バイパス路（55）の始端は、供給側空気通路（51）における供給側ファン（15）と顕熱交換器（61）との間に、三方弁（56）を介して接続されている。一方、空気バイパス路（55）の終端は、供給側空気通路（51）における顕熱交換器（61）と吹出温度センサ（95）及び吹出湿度センサ（96）との間に接続されている。
【００８４】
本変形例を上記実施形態１の調湿装置（10）に適用したもの（図９を参照）や、本変形例を上記実施形態３の調湿装置（10）に適用したもの（図１０を参照）では、除湿運転が行われる。除湿運転中において、運転状態によっては、顕熱交換器（61）で第１空気を冷却する必要がない場合がある。このような場合は、冷却側ファン（17）と加湿冷却器（13）を停止させると共に、第１空気の全量が空気バイパス路（55）を通過するように三方弁（56）を設定する。第１空気は顕熱交換器（61）をバイパスするため、その分だけ第１空気の圧力損失が減少し、供給側ファン（15）の駆動に要する動力が減少する。
【００８５】
また、本変形例を上記実施形態３の調湿装置（10）に適用したもの（図１０を参照）では、加湿運転が行われる。加湿運転中には、冷却側ファン（17）と加湿冷却器（13）を停止させと共に、第２空気の全量が空気バイパス路（55）を通過するように三方弁（56）を設定する。ここで、顕熱交換器（61）には熱容量があるため、第３空気が供給されない状態でも、顕熱交換器（61）を通過させるだけで第２空気の温度低下を招くおそれがある。そこで、第２空気の全量を空気バイパス路（55）へ流すようにすれば、室内へ供給される第２空気の温度低下を抑えることができ、暖房能力のロスを防ぐことができる。
【００８６】
また、本変形例を適用した調湿装置（10）では、除湿運転中に室内へ供給される第１空気の温度を調節するために空気バイパス路（55）を利用してもよい。つまり、顕熱交換器（61）と空気バイパス路（55）への第１空気の分配割合を変更することによって、最終的に室内へ供給される第１空気の温度を調節してもよい。その場合、第１空気の温度を上昇させたい場合は空気バイパス路（55）へ流入する第１空気の割合を増加させ、第１空気の温度を低下させたい場合は空気バイパス路（55）へ流入する第１空気の割合を減少させることになる。
【００８７】
−第２変形例−
上記の各実施形態では、図１１に示すように、温水回路（21）に温水バイパス路（25）を設けてもよい。なお、図１１は、本変形例を上記実施形態１の調湿装置（10）に適用したものを示している。
【００８８】
温水回路（21）において、温水バイパス路（25）は、温水熱交換器（11）をバイパスするように配置される。また、温水回路（21）では、温水バイパス路（25）への分岐箇所の一方に三方調節弁（26）が設けられる。三方調節弁（26）を操作すると、温水熱交換器（11）と温水バイパス路（25）への温水の分配割合が変化する。そして、本変形例のコントローラ（90）は、三方調節弁（26）を操作することによって、温水熱交換器（11）へ供給される温水の流量を調節する。なお、このコントローラ（90）は、温水熱交換器（11）への温水の供給量を調節するために三方調節弁（26）の設定だけを変更するものであってもよいし、三方調節弁（26）の設定と循環ポンプ（22）の回転速度の両方を変更するものであってもよい。
【００８９】
−第３変形例−
上記の各実施形態において、第１制御動作中のコントローラ（90）は、温水熱交換器（11）へ供給される温水の流量ではなく、この温水の温度を調節してもよい。
【００９０】
具体的に、本変形例のコントローラ（90）は、第１空気の温度及び湿度を調節するために、ガスエンジン（20）の運転を調節する。吸着素子（81,82）での第１空気の除湿量を削減したい場合、コントローラ（90）は、ガスエンジン（20）を停止させ、温水熱交換器（11）へ供給される温水の温度を低下させる。逆に、吸着素子（81,82）での第１空気の除湿量を増大させたい場合、コントローラ（90）は、ガスエンジン（20）を起動し、温水熱交換器（11）へ供給される温水の温度を上昇させる。
【００９１】
−第４変形例−
上記の各実施形態において、第２制御動作中のコントローラ（90）は、加湿冷却器（13）での第３空気への加湿量ではなく、第３空気の流量を調節してもよい。
【００９２】
具体的に、本変形例のコントローラ（90）は、第１空気の温度及び湿度を調節するために、冷却側ファン（17）の回転速度を調節する。室内へ供給される第１空気の温度を低下させたい場合、コントローラ（90）は、冷却側ファン（17）の回転速度を上昇させて第３空気の流量を増大させ、顕熱交換器（61）で第３空気が第１空気から吸熱する熱量を増大させる。逆に、室内へ供給される第１空気の温度を上昇させたい場合、コントローラ（90）は、冷却側ファン（17）の回転速度を低下させて第３空気の流量を減少させ、顕熱交換器（61）で第３空気が第１空気から吸熱する熱量を減少させる。なお、本変形例のコントローラ（90）は、第３空気の流量だけを調節してもよいし、第３空気の流量と第３空気に対する加湿量の両方を調節してもよい。
【００９３】
なお、以上の実施形態は、本質的に好ましい例示であって、本発明、その適用物、あるいはその用途の範囲を制限することを意図するものではない。
【産業上の利用可能性】
【００９４】
以上説明したように、本発明は、吸着素子を備えて空気の湿度調節を行う調湿装置について有用である。
【図面の簡単な説明】
【００９５】
【図１】実施形態１における調湿装置の概略構成図であって、(Ａ)は第１動作中の状態を、(Ｂ)は第２動作中の状態をそれぞれ示している。
【図２】実施形態１における吸着素子の概略斜視図である。
【図３】実施形態１における顕熱交換器の概略斜視図である。
【図４】実施形態２における調湿装置の概略構成図であって、(Ａ)は第１動作中の状態を、(Ｂ)は第２動作中の状態をそれぞれ示している。
【図５】実施形態２における吸着素子の概略斜視図である。
【図６】実施形態２の変形例における調湿装置の概略構成図であって、(Ａ)は第１動作中の状態を、(Ｂ)は第２動作中の状態をそれぞれ示している。
【図７】実施形態３における調湿装置の概略構成図であって、(Ａ)は除湿運転の第１動作中の状態を、(Ｂ)は除湿運転の第２動作中の状態をそれぞれ示している。
【図８】実施形態３における調湿装置の概略構成図であって、(Ａ)は加湿運転の第１動作中の状態を、(Ｂ)は加湿運転の第２動作中の状態をそれぞれ示している。
【図９】その他の実施形態の第１変形例における調湿装置の概略構成図である。
【図１０】その他の実施形態の第１変形例における調湿装置の概略構成図である。
【図１１】その他の実施形態の第２変形例における調湿装置の概略構成図である。
【符号の説明】
【００９６】
10    調湿装置
11    温水熱交換器、第１温水熱交換器（加熱用熱交換器）
12    第２温水熱交換器（加熱用熱交換器）
13    加湿冷却器
20    ガスエンジン（排熱源）
61    顕熱交換器
81    第１吸着素子
82    第２吸着素子
85    調湿用流路
86    冷却用流路
90    コントローラ（制御手段）
【図１】
2007218503.tif 000003
【図２】
2007218503.tif 000004
【図３】
2007218503.tif 000005
【図４】
2007218503.tif 000006
【図５】
2007218503.tif 000007
【図６】
2007218503.tif 000008
【図７】
2007218503.tif 000009
【図８】
2007218503.tif 000010
【図９】
2007218503.tif 000011
【図１０】
2007218503.tif 000012
【図１１】
2007218503.tif 000013